(57)【要約】【課題】近年高度化したデザインのウェブサイトの作成にあたっては、従来のウェブサイトの作成方法では、クライアントと制作主間のやりとりに非常に手間がかかり非効率であるという課題がある。【解決手段】本発明では、制作主がクライアントにＩＤとパスワードを発行し、クライアントはＩＤとパスワードを入力することにより、作成過程のウェブサイトにアクセス可能となる。クライアントは、作成過程のウェブサイトのデザインや動きを確認し、必要があれば制作主に連絡して修正指示を出す。制作主は修正が完了したらクライアントに連絡して、クライアントは再度修正内容を確認する。制作主は、引き続きコーディングによりウェブサイトを作成し、クライアントは随時ＩＤとパスワードにより作成過程のウェブサイトにアクセスし確認する。【選択図】図１
2018041425.tif 000002
【特許請求の範囲】
【請求項１】
制作主が作成過程のウェブサイトにアクセスするための手段を当該制作主からクライアントに提供し、当該クライアントは当該手段を用いて当該ウェブサイトに随時アクセス可能な状態となることを特徴とするウェブサイトの作成方法。
【請求項２】
請求項１において、前記手段がＩＤとパスワードであることを特徴とするウェブサイトの作成方法。
【請求項３】
請求項１及び２において、前記手段がコンテンツマネジメントシステムを利用したＩＤとパスワードであることを特徴とするウェブサイトの作成方法。
【請求項４】
請求項１乃至３において、随時アクセス可能な状態となることで当該制作主への当該ウェブサイトの修正指示が随時可能となり、当該制作主が当該ウェブサイトの修正後も、当該クライアントは随時当該ウェブサイトを確認できることによって、当該クライアントによる当該ウェブサイトの確認と修正指示及び当該制作主による当該ウェブサイトの修正と作成を効率的に進めることができることを特徴とするウェブサイトの作成方法。
【発明の詳細な説明】
【技術分野】
【０００１】      本技術は、インターネット上で閲覧されるウェブサイトの効率的作成方法に関するものである。
【背景技術】
【０００２】ウェブサイトは、ｘｈｔｍｌやｈｔｍｌ等のマークアップ言語で記述されたファイルをサーバー上に保存しておき、ユーザがサーバー上のこれらのファイルにアクセスすることによってウェブサイトを閲覧することができる仕組みである。サーバーには、ウェブサイトのレイアウト装飾のためのｃｓｓファイルや画像ファイル、動的なユーザーインターフェイスのためのｊａｖａｓｃｒｉｐｔファイル、或いはデータベース等をプログラム制御可能なＰＨＰファイルと共に保存される。ウェブサイトの持ち主（以下、クライアント）は、個人でこれらのファイルを自社サーバーやレンタルサーバーにアップロードする場合もあるが、多くの場合は専門知識を有するウェブ制作会社（以下、制作主）にウェブサイトのデザイン、ファイルの作成（以下、コーディング）及びファイルのアップロードおよび管理等を委託する。【０００３】従来のウェブサイトは、構造やデザインが単純で動的な要素も少なかった。したがって、制作主はクライアントにウェブサイトのデザインを提示し、クライアントの了承を得た後、それに基づいてコーディングを行うことでもウェブサイトが作成できたというのが、従来のウェブサイトの作成方法であった。
【先行技術文献】
【非特許文献】
【０００３】
【非特許文献１】ｈｔｔｐ：／／ｌｏｐａｎ．ｊｐ／ｈｏｗ−ｔｏ−ｍａｋｅ−ｗｅｂｓｉｔｅ／
【発明の概要】
【発明が解決しようとする課題】
【０００４】しかしながら、近年ウェブサイトのデザインが高度化し、スライドショーやアニメーションなど動的なものが増え、さらにはパソコンやタブレット、スマートフォンなどデバイスに応じてレイアウトが変形するようなレスポンシブデザインも普及しつつある。このような高度なウェブサイトの作成にあたっては、上記の従来のウェブサイトの作成方法では、クライアントと制作主との間のやりとりに非常に手間がかかり非効率であるという課題がある。
【課題を解決するための手段】
【０００５】そこで、本発明では、最近の高度なウェブサイトにおいてもクライアントと制作主間で、効率的にウェブサイトを作成する技術的手段を提供する。【０００６】具体的には、クライアントと制作主間で、ウェブサイト作成過程を共有する。【０００７】より具体的には、制作主がクライアントにＩＤとパスワードを発行し、クライアントはＩＤとパスワードを入力することにより、作成過程のウェブサイトにアクセス可能となる。クライアントは、作成過程のウェブサイトの細部のデザインや動きを確認し、必要があれば制作主に連絡して修正指示を出す。制作主は修正を完了したらクライアントに連絡して、クライアントは修正内容を確認する。制作主は、引き続きコーディングによりウェブサイトを作成し、クライアントは随時ＩＤとパスワードにより作成過程のウェブサイトにアクセスし確認する。このようにすれば、最近の高度なウェブサイトにおいてもデザインの細部のみならず動的なデザインも含めて随時確認することができる。（図１）
【発明の効果】
【０００８】本発明によるウェブサイトの作成方法を用いると動的なデザインを含む高度なウェブサイトにおいて、制作主、クライアント間で効率的にウェブサイトを作成することができる。従来の方法ではデザインの確認とウェブサイトの確認が別々であったものが、本方法を用いると両者を一度に行うことが出来る。
【図面の簡単な説明】
【０００９】制作主は、サーバー上にウェブサイトを作成していく。制作主は、クライアントにウェブサイトにアクセスするためのログインＩＤ、パスワードを発行する。クライアントは、これらのＩＤとパスワードを入力することにより作成過程のウェブサイトに随時アクセス可能となる。クライアントは作成過程のウェブサイトを確認して、必要があれば制作主に修正指示を出す。制作主はウェブサイトを修正し、クライアントは再びＩＤとパスワードを用いてウェブサイトを確認する。引き続き、制作主がウェブサイトを作成しながら、クライアントはＩＤとパスワードを用いて作成過程のウェブサイトを確認する。
【図１】
【発明を実施するための形態】
【００１０】発明を実施するための形態について以下に比較例と実施例を挙げる。
【比較例】
【００１１】クライアントＡは、制作主Ｂに動的なデザインを各ページに１個含むレスポンシブデザインのウェブサイト１０ページの作成依頼を行った。制作主Ｂは、クライアントＡに対して、パソコン、タブレット、スマートフォンの３通りで各１０ページのデザインを用意した。また、制作主Ｂは動的なデザインの説明をするため、各ページに動き有りの場合と動き無しの場合の２種類のデザインを用意した。結局、制作主Ｂは総計６０パターンのデザインを用意した。クライアントＡは、６０パターンのデザインについて検討し、２０箇所の修正を制作主Ｂに伝えた。制作主Ｂはこれらを修正し、再度デザインをクライアントＡに渡した。これに対し、クライアントＡはさらに５箇所の修正を制作主Ｂに伝えた。制作主Ｂはこれらを修正し、再々度デザインをクライアントＡに渡した。この時点で、クライアントＡのデザインの確認が完了し、デザインが完成した。その後、制作主Ｂはコーディングに取り掛かり、ウェブサイトを完成させた。しかしながら、クライアントＡは、納品前の最終動作確認において、はじめてウェブサイトでの動作を確認したため、動的部分のデザインの変更を１０箇所希望した。制作主Ｂは、クライアントの要望に応じて動的部分のデザインとコーディングを修正した。結局、ウェブサイトの作成を開始してから完了するまで、３ヶ月の期間を費やした。
【実施例】
【００１２】クライアントＣは、制作主Ｄに動的なデザインを各ページに１個含むレスポンシブデザインのウェブサイト１０ページの作成依頼を行った。制作主Ｄは、クライアントＣに対して、一般的なコンテンツマネジメントシステムを利用してＩＤとパスワードを発行し、作成過程のウェブサイトを確認できるようにした。制作主Ｄは、トップページに対してパソコン、タブレット、スマートフォンの３通りのウェブサイトを作成した。クライアントＣは、ＩＤとパスワードを入力して作成過程のウェブサイトを確認し、スマートフォンの動的部分のデザインの修正を制作主Ｄに伝えた。制作主Ｄは、すぐに修正し、クライアントＣの確認を得た。その後、制作主Ｄは、トップページにつづき残りの９ページ（各デバイスの２７ページ）についてウェブサイトを作成した。クライアントＣは、ウェブサイトの詳細について、お問い合わせページの送信ボタンのデザイン変更を希望した。制作主Ｄは、お問い合わせページの送信ボタンのデザイン変更とコーディングを行い、ウェブサイトを完成させた。クライアントＣは、随時ウェブサイトの確認を行っていたので、納品前の最終動作確認において、特段修正を希望する項目は無かった。結局、ウェブサイトの作成を開始してから、完了するまで、９日間しか掛からなかった。
【産業上の利用可能性】
【００１３】本発明は、作成するウェブサイトのデザインや機能が高度になればなるほど産業上の利用価値が高くなる。
【図１】
2018041425.tif 000003
【手続補正書】
【提出日】平成29年2月9日(2017.2.9)
【手続補正２】
【補正対象書類名】明細書
【補正対象項目名】０００９
【補正方法】変更
【補正の内容】
【０００９】
【図１】制作主は、サーバー上にウェブサイトを作成していく。制作主は、クライアントにウェブサイトにアクセスするためのログインＩＤ、パスワードを発行する。クライアントは、これらのＩＤとパスワードを入力することにより作成過程のウェブサイトに随時アクセス可能となる。クライアントは作成過程のウェブサイトを確認して、必要があれば制作主に修正指示を出す。制作主はウェブサイトを修正し、クライアントは再びＩＤとパスワードを用いてウェブサイトを確認する。引き続き、制作主がウェブサイトを作成しながら、クライアントはＩＤとパスワードを用いて作成過程のウェブサイトを確認する。